(57)【要約】【課題】複数の単位布帛を繋ぎ目を介して繋げた長尺布帛に対して記録可能な記録装置においてロット情報と単位布帛との対応関係を繋ぎ目部分を利用して解りやすくすること。【解決手段】被記録媒体Ｐにインクを吐出して記録する記録ヘッド2と、前記記録ヘッドの動作及び前記被記録媒体の搬送動作を制御する制御部3と、前記記録媒体が搬送される搬送経路において前記記録ヘッドより上流側に位置し、搬送される前記被記録媒体Ｐが複数の単位記録媒体Ｐ1,Ｐ2,…を繋ぎ目4を介して繋げた長尺記録媒体5である場合に、前記繋ぎ目の位置を検出する検出部6とを備え、前記制御部は、前記検出部から前記繋ぎ目の位置情報を得て前記記録ヘッドの動作及び前記被記録媒体の搬送動作を制御し、前記繋ぎ目より前記搬送経路における上流側または下流側にロット情報Ｒ1,Ｒ2,…を記録する。【選択図】図１
2015078448.tif 000002
【特許請求の範囲】
【請求項１】
被記録媒体にインクを吐出して記録する記録ヘッドと、
前記記録ヘッドの動作及び前記被記録媒体の搬送動作を制御する制御部と、
前記記録媒体が搬送される搬送経路において前記記録ヘッドより上流側に位置し、搬送される前記被記録媒体が複数の単位記録媒体を繋ぎ目を介して繋げた長尺記録媒体である場合に、前記繋ぎ目の位置を検出する検出部と、を備え、
前記制御部は、前記検出部から前記繋ぎ目の位置情報を得て前記記録ヘッドの動作及び前記被記録媒体の搬送動作を制御し、前記記録媒体の前記繋ぎ目より前記搬送経路における上流側または下流側にロット情報を記録する、ことを特徴とする記録装置。
【請求項２】
請求項１に記載の記録装置において、
前記ロット情報は、ユーザーが選定可能又は設定可能である、ことを特徴とする記録装置。
【請求項３】
請求項１又は２に記載の記録装置において、
前記記録ヘッドは被記録媒体との間隔を変更可能であり、
前記制御部は、前記ロット情報の記録を実行する際は、前記記録ヘッドの前記間隔を大きくする、ことを特徴とする記録装置。
【請求項４】
請求項１から３のいずれか一項に記載の記録装置において、
記録された布帛に対する後処理装置を備え、
該後処理装置は、前記ロット情報を読み取って後処理条件が定まる構成である、ことを特徴とする記録装置。
【請求項５】
請求項１から４のいずれか一項に記載の記録装置において、
前記制御部は、前記ロット情報にエラー情報が含まれる場合は、エラー情報を含まない場合と区別できる形態で当該ロット情報の記録を実行するよう制御する、ことを特徴とする記録装置。
【請求項６】
請求項１から５のいずれか一項に記載の記録装置において、
前記制御部は、前記繋ぎ目の方向が前記長尺記録媒体の長手方向に対して斜めに交差している場合は、前記記録ヘッドの走査範囲を前記繋ぎ目の前記ヘッドの走査方向における手前までとして記録を実行する、ことを特徴とする記録装置。
【発明の詳細な説明】
【技術分野】
【０００１】
本発明は、複数の単位布帛を繋ぎ目を介して繋げた長尺布帛に対して記録可能な記録装置に関するものである。
【背景技術】
【０００２】
前記繋ぎ目を有する長尺布帛に記録をする場合、単位布帛毎に記録の日時や画像情報等のロット情報の管理が必要である。従来においては、前記ロット情報は布帛とは別の記録帳に記載して管理していた。  
しかし、別の記録帳では現物の単位布帛との対応関係が不明確になる虞があり、使い勝手が悪かった。
【０００３】
この種記録装置の一例として、以下の特許文献１と特許文献２に記載された捺染装置が挙げられる。いずれも繋ぎ目を有する長尺布帛に対する記録の仕方が記載されている。
【先行技術文献】
【特許文献】
【０００４】
【特許文献１】特開２０１０−８４２９１号公報
【特許文献２】特開平５−２１２８５１号公報
【発明の概要】
【発明が解決しようとする課題】
【０００５】
しかしながら、特許文献１と特許文献２には、ロット情報と単位布帛との対応関係に関しては何らの記載も示唆もない。そのため、依然としてロット情報と現物の各単位布帛との対応関係が不明確になる虞があり、使い勝手が悪かった。  
また、前記繋ぎ目部分は後で切断される部分であると共に、厚みも表面平坦度も一定しないので、製品としての画像形成のための生地としては使いにくい。
【０００６】
本発明の目的は、複数の単位布帛を繋ぎ目を介して繋げた長尺布帛に対して記録可能な記録装置において、ロット情報と単位布帛との対応関係を繋ぎ目部分を利用して解りやすくすることにある。
【課題を解決するための手段】
【０００７】
上記課題を解決するための本発明の第１の態様の記録装置は、被記録媒体にインクを吐出して記録する記録ヘッドと、前記記録ヘッドの動作及び前記被記録媒体の搬送動作を制御する制御部と、前記記録媒体が搬送される搬送経路において前記記録ヘッドより上流側に位置し、搬送される前記被記録媒体が複数の単位記録媒体を繋ぎ目を介して繋げた長尺記録媒体である場合に、前記繋ぎ目の位置を検出する検出部とを備え、前記制御部は、前記検出部から前記繋ぎ目の位置情報を得て前記記録ヘッドの動作及び前記被記録媒体の搬送動作を制御し、前記繋ぎ目より前記搬送経路における上流側または下流側にロット情報を記録することを特徴とする。  
ここで、「ロット情報」とは、画像データ管理番号、日時、記録（印刷）条件、ヒーター乾燥条件、記録（印刷）長さ、温度、湿度、エラーの有無等、各単位布帛に記録しておくことで有用となる可能性のある情報を意味する。尚、全ての情報を記録することは要しない。  
また「布帛」とは、綿、麻、絹、ポリエステル又はこれらを混合したもの等を原糸とする布や織物等の繊維製品を意味し、例えば、ブラウス、ワイシャツ、作業着などの衣料品の材料として用いられるブロード、シーチング等の繊維製品が挙げられる。
【０００８】
本態様によれば、前記制御部は、前記検出部から前記繋ぎ目の位置情報を得て前記記録ヘッドの動作及び前記被記録媒体の搬送動作を制御し、前記繋ぎ目より前記搬送経路における上流側または下流側にロット情報を記録する。従って、ロット情報が各単位布帛の繋ぎ目付近に記録されるので、ロット情報と単位布帛との対応関係を繋ぎ目部分を利用して解りやすくすることができる。
【０００９】
本発明の第２の態様の記録装置は、第１の態様において、前記ロット情報は、ユーザーが選定可能又は設定可能である、ことを特徴とする。  
ここで、「ユーザーが選定可能」とは、予め用意されているロット情報に関する項目の中からユーザー自身の判断で必要なものを選んで定めることを意味する。また、「ユーザーが設定可能」とは、ロット情報に関する情報自体をユーザーが新規に設定できる、或いは追加して設定できることを意味する。
【００１０】
本態様によれば、前記ロット情報は、ユーザーが選定可能又は設定可能であるので、ユーザーに必要な情報を含むロット情報を容易に記録することが出来る。
【００１１】
本発明の第３の態様の記録装置は、第１の態様又は第２の態様において、前記記録ヘッドは被記録媒体との間隔を変更可能であり、前記制御部は、前記ロット情報の記録を実行する際は、前記記録ヘッドの前記間隔を大きくする、ことを特徴とする。
【００１２】
本態様によれば、前記ロット情報の記録を実行する際は、前記記録ヘッドの前記間隔を大きくするので、該記録ヘッドのノズル形成面が前記繋ぎ目部分に接触する虞を少なくして当該繋ぎ目部分において前記ロット情報の記録を行うことが出来る。  
また、ロット情報は、その情報の中身は重要であるが外観としての画質（記録品質）は高画質である必要は必ずしもない。従って、判読可能なロット情報を記録可能な範囲で前記間隔を大きくすることが可能であり、当該間隔を繋ぎ目部分の最大厚さを超えた大きさにすれば、当該繋ぎ目部分を通過させる為に当該記録ヘッドを退避させる必要がなくなる。
【００１３】
本発明の第４の態様の記録装置は、第１の態様から第３の態様のいずれか一つの態様において、記録された布帛に対する後処理装置を備え、該後処理装置は、前記ロット情報を読み取って後処理条件が定まる構成である、ことを特徴とする。  
ここで、「後処理装置を備え」とは、当該記録装置が一纏まりの構成要素の一つとして後処理装置を有する構造に限らず、当該後処理装置が記録装置と別体の構造であっても、当該後処理装置が前記ロット情報を読み込んで後処理条件を定める関係にあるものは含まれる意味で使われている。
【００１４】
本態様によれば、各単位布帛に記録されたロット情報を後処理装置が読み取って後処理条件が定まるので、各単位布帛に対する後処理条件の設定ミスの虞を低減できると共に、後処理工程の自動化を進めることが出来る。
【００１５】
本発明の第５の態様の記録装置は、第１の態様から第４の態様のいずれか一つの態様において、前記制御部は、前記ロット情報にエラー情報が含まれる場合は、エラー情報を含まない場合と区別できる形態で当該ロット情報の記録を実行するよう制御する、ことを特徴とする。  
ここで、「エラー情報」とは、インク不足や環境の急激な変化等により狙い通りの画質（記録品質）を形成できない部分を有する場合にその旨を伝える情報を意味する。  
また、「区別できる形態」における「形態」とは、形や色を意味し、形は同じでも目立つ色で区別するのも一例である。勿論、色が同じでもデザイン化された形で区別することも可能である。更に両者を組み合わせてもよい。
【００１６】
本態様によれば、エラー情報が含まれる単位布帛を、前記区別できる形態のロット情報が記録されていることによって容易に特定することができ、ユーザーの作業効率を向上することができる。
【００１７】
本発明の第６の態様の記録装置は、第１の態様から第５の態様のいずれか一つの態様において、前記制御部は、前記繋ぎ目の方向が前記長尺記録媒体の長手方向に対して斜めに交差している場合は、前記記録ヘッドの走査範囲を前記繋ぎ目の前記ヘッドの走査方向における手前までとして記録を実行する、ことを特徴とする。
【００１８】
繋ぎ目が斜めである場合、その斜めの繋ぎ目が存在する部分の全ての布帛を記録対象の生地から除くのは生地の無駄が多い。  
本態様によれば、前記記録ヘッドの走査範囲を前記繋ぎ目の前記ヘッドの走査方向における手前までとして記録を実行するので、前記繋ぎ目を一辺として含む三角形の領域を利用して当該ロット情報を記録することができる。  
また、前記三角形の面積が当該ロット情報の記録だけでは大きすぎて余る場合は、製品としても模様の記録を前記三角形の部分に行ってから、前記ロット情報の記録を行ってもよい。
【図面の簡単な説明】
【００１９】
【図１】本発明の実施形態１に係る記録装置の一部を表す概略側断面図。
【図２】複数の単位布帛を繋ぎ目を介して繋げた長尺布帛の一部平面図。
【図３】本発明の実施形態１に係る記録装置の作用を説明するフローチャート。
【図４】本発明の実施形態２に係る記録装置の作用を説明するフローチャート。
【図５】本発明の実施形態３に係る記録装置の一部を表す概略側面図。
【図６】本発明の実施形態４に係る記録装置の作用を説明するフローチャート。
【図７】本発明の実施形態５に係る長尺布帛の一部平面図。
【図８】本発明の実施形態５に係る記録装置の作用を説明するフローチャート。
【発明を実施するための形態】
【００２０】
［実施形態１］（図１〜図３）
以下に、本発明の実施形態１に係る記録装置について、図１〜図３を参照して詳細に説明する。ここでは、記録装置がインクジェット記録装置である場合を説明するが、これに限定されない。
【００２１】
本実施形態１のインクジェット記録装置は、被記録媒体Ｐにインクを吐出して記録する記録ヘッド２と、前記記録ヘッド２の動作及び前記被記録媒体Ｐの搬送動作を制御する制御部３と、前記被記録媒体が搬送方向Ａに搬送される搬送経路１において前記記録ヘッド２より上流側に位置し、搬送される前記被記録媒体Ｐが複数の単位布帛Ｐ１，Ｐ２，…を繋ぎ目４を介して繋げた長尺布帛５である場合に、前記繋ぎ目４の位置を検出する検出部６とを備えている。そして、前記制御部３は、前記検出部６から前記繋ぎ目４の位置情報を得て前記記録ヘッド２の動作及び前記被記録媒体Ｐの搬送動作を制御し、本実施携帯１では、前記繋ぎ目４より前記被記録媒体の搬送方向における上流側と下流側の両側にロット情報Ｒ１，Ｒ２を記録する。
【００２２】
尚、前記ロット情報Ｒ１，Ｒ２は、前記繋ぎ目４の両側ではなく一方の側だけに記録するものであっても、各単位布帛Ｐ１，Ｐ２，…に対して少なくとも１箇所記録されていればよい。  
また、前記長尺布帛５は、ロール状に巻かれているロール状布帛の形が一般的であるが、ロール状ではなく、反転を繰り返して積層した状態のものでもよい。  
また「布帛」とは、綿、麻、絹、ポリエステル又はこれらを混合したもの等を原糸とする布や織物等の繊維製品を意味し、例えば、ブラウス、ワイシャツ、作業着などの衣料品の材料として用いられるブロード、シーチング等の繊維製品が挙げられる。  
本実施形態では単位記録媒体として単位布帛Ｐ１，Ｐ２，…を使用し、それを繋いで長尺化した長尺記録媒体としての長尺布帛５の例で説明を行っているが、単位記録媒体としては上記の布帛に限らず、紙、コート紙、フィルム等の他の記録媒体であってもよい。
【００２３】
前記検出部６は、レーザーセンサやカメラ等が挙げられるが、繋ぎ目４の位置を検出できるものなら全てよい。該検出部６は駆動制御部７によってその動作を制御され、また検出結果は該駆動制御部７を介して前記制御部３に送られる。
【００２４】
前記記録ヘッド２は、キャリッジ８に搭載され、被記録媒体Ｐの幅方向に往復移動して記録を実行するシリアル構造の記録ヘッドであるが、前記往復移動をしない所謂ラインヘッドであってもよい。該記録ヘッド２は制御部３から制御信号を受けるヘッド駆動部９により駆動される。更に該記録ヘッド２は被記録媒体Ｐとの間隔を変更可能に構成されている。
【００２５】
前記ロット情報Ｒ１，Ｒ２とは、画像データ管理番号、日時、記録（印刷）条件、ヒーター乾燥条件、記録（印刷）長さ、温度、湿度、エラーの有無等、各単位布帛に記録しておくことで有用となる可能性のある情報を意味する。尚、全ての情報を記録することは要しない。  
本実施形態では、前記ロット情報は、ユーザーが選定可能又は設定可能である。ここで、「ユーザーが選定可能」とは、予め用意されているロット情報に関する項目の中からユーザー自身の判断で必要なものを選んで定めることを意味する。また、「ユーザーが設定可能」とは、ロット情報に関する情報自体をユーザーが新規に設定できる、或いは追加して設定できることを意味する。  
このように、前記ロット情報Ｒ１，Ｒ２の項目は、ユーザーが選定可能又は設定可能であるので、ユーザーに必要な項目を含むロット情報Ｒ１，Ｒ２を容易に記録することが出来る。
【００２６】
前記搬送経路１は、その一部を無端ベルト１０が作る。該無端ベルト１０は駆動ローラー１１と従動ローラー１２によって回転移動し、被記録媒体Ｐを搬送方向Ａに搬送する。前記駆動ローラー１１は、制御部３によって、その動作が制御される。図１において、符号１３，１４は搬送用の補助ローラーである。
【００２７】
次に、図３のフローチャートに基づいて、本実施形態１においてロット情報Ｒ１，Ｒ２を前記繋ぎ目４付近に記録する場合について説明する。  
ステップＳ１で、通常の記録が行われている。  
ステップＳ２で、記録ヘッド２より上流側に位置する検出部６が搬送される長尺布帛５の繋ぎ目４を検出したか否か判定される。  
繋ぎ目４を検出した場合、ステップＳ３にて、直ちに搬送を停止せず、長尺布帛５をそのまま搬送方向Ａに所定量搬送して記録を継続した後、搬送を停止する。ここで前記「所定量」は、検出部６と記録ヘッド２の間隔に基づいて定まり、当該繋ぎ目４が記録ヘッド２に擦れない位置まではそのまま搬送し、記録を継続する。
【００２８】
ステップＳ４に進み、搬送停止状態の長尺布帛５（被記録媒体Ｐ）の先行単位布帛Ｐ１の繋ぎ目４付近にロット情報Ｒ１を記録する（図２参照）。次いでステップＳ５に進み、記録ヘッド１をホームポジションに退避させる。この退避状態でステップＳ６に進み、長尺布帛５を搬送方向Ａに搬送して繋ぎ目４を記録ヘッド２の走査領域を通過させる。次いで、ステップＳ７に進み、後行単位布帛Ｐ２の繋ぎ目４付近にロット情報Ｒ２を記録する（図２参照）。
【００２９】
次いでステップＳ８に進み、記録が終了した場合は終了となり、記録が終了していない場合は、ステップＳ１に戻り、上記各ステップを繰り返す。  
前記ステップＳ２で、検出部６が繋ぎ目４を検出しない場合、ステップＳ８に進む。
【００３０】
本実施形態１においては、前記制御部３は、前記検出部６から前記繋ぎ目４の位置情報を得て前記記録ヘッド２の動作及び前記被記録媒体Ｐの搬送動作を制御し、前記繋ぎ目４の両側にロット情報Ｒ１，Ｒ２を記録する。従って、ロット情報Ｒ１，Ｒ２が各単位布帛Ｐ１，Ｐ２の繋ぎ目４付近に記録されるので、ロット情報Ｒ１，Ｒ２と単位布帛Ｐ１，Ｐ２との対応関係を繋ぎ目４部分を利用して解りやすくなっている。
【００３１】
［実施形態２］（図４）
次に、本発明の実施形態２に係る記録装置について、図４のフローチャートを参照して詳細に説明する。  
本実施形態２では、前記記録ヘッド２は被記録媒体Ｐとの間隔ＰＧを変更可能であり、前記制御部３は、前記ロット情報Ｒ１，Ｒ２の記録を実行する際は、前記記録ヘッド２の前記間隔ＰＧを大きくする。
【００３２】
ステップＳ１１で、通常の記録が行われている。  
ステップＳ１２で、記録ヘッド２より上流側に位置する検出部６が搬送される長尺布帛５の繋ぎ目４を検出したか否か判定される。  
繋ぎ目４を検出した場合、ステップＳ１３にて、直ちに搬送を停止せず、長尺布帛５をそのまま搬送方向Ａに所定量搬送して記録を継続した後、搬送を停止する。ここで前記「所定量」は、検出部６と記録ヘッド２の間隔に基づいて定まり、当該繋ぎ目４が記録ヘッド２に擦れない位置まではそのまま搬送し、記録を継続する。
【００３３】
ステップＳ１４に進み、ヘッド駆動部９によって記録ヘッド２の前記間隔ＰＧを大きくする。  
ステップＳ１５に進み、搬送停止状態の長尺布帛５（被記録媒体Ｐ）の先行単位布帛Ｐ１の繋ぎ目４付近にロット情報Ｒ１を記録する。  
ステップＳ１６に進み、長尺布帛５を搬送方向Ａに所定量搬送して停止する。即ち、長尺布帛５を搬送方向Ａに搬送して繋ぎ目４を記録ヘッド２の走査領域を通過させる。この際、大きくした前記間隔ＰＧが通過する繋ぎ目４と接触しない間隔であるときは、記録ヘッド１をホームポジションに退避させる必要はない。一方、大きくした前記間隔ＰＧが通過する繋ぎ目４と接触する間隔であるときは、記録ヘッド１をホームポジションに退避させる。  
次いでステップＳ１７に進み、後行単位布帛Ｐ２の繋ぎ目４付近にロット情報Ｒ２を記録する。
【００３４】
次いでステップＳ１８に進み、記録が終了した場合は終了となり、記録が終了していない場合は、ステップＳ１１に戻り、上記各ステップを繰り返す。  
前記ステップＳ１２で、検出部６が繋ぎ目４を検出しない場合、ステップＳ１８に進む。
【００３５】
本実施形態２においては、前記ロット情報Ｒ１，Ｒ２の記録を実行する際は、前記記録ヘッド２の前記間隔ＰＧを大きくするので、該記録ヘッド２のノズル形成面が前記繋ぎ目４部分に接触する虞を少なくして当該繋ぎ目４部分において前記ロット情報Ｒ１，Ｒ２の記録を行うことが出来る。  
また、ロット情報Ｒ１，Ｒ２は、その情報の中身は重要であるが外観としての画質（記録品質）は高画質である必要は必ずしもない。従って、判読可能なロット情報Ｒ１，Ｒ２を記録可能な範囲で前記間隔ＰＧを大きくすることが可能であり、当該間隔ＰＧを繋ぎ目４部分の最大厚さを超えた大きさにすれば、当該繋ぎ目４部分を通過させる為に当該記録ヘッド２を退避させる必要がなくなる。
【００３６】
［実施形態３］（図５）
次に、本発明の実施形態３に係る記録装置について、図５を参照して詳細に説明する。  
本実施形態３では、記録された布帛に対する後処理装置１６を備えている。該後処理装置１６は、前記ロット情報Ｒ１，Ｒ２を読み取って後処理条件が定まる構成である。そのため、該後処理装置１６は、前記ロット情報Ｒ１，Ｒ２を読み取る読み取り部１７と、後処理実行部１８を備える。  
ここで、「後処理装置１６を備え」とは、当該記録装置が一纏まりの構成要素の一つとして後処理装置１６を有する構造に限らず、本実施形態３のように、当該後処理装置１６が記録装置と別体の構造であってもよい。当該後処理装置１６が前記ロット情報Ｒ１，Ｒ２を読み込んで後処理条件を定める関係にあるものであればよい。  
また、読み取り部１７は図５に示すような後処理実行部１８と一体的な配置である必要はなく、読み取り部１７で読み取ったロット情報Ｒ１、Ｒ２により後処理条件を定める関係であれば後処理部装置１６とは別体であってもよい。
【００３７】
本実施形態４においては、各単位布帛Ｐ１，Ｐ２に記録されたロット情報Ｒ１，Ｒ２を後処理装置１６が読み取って後処理条件が定まるので、各単位布帛Ｐ１，Ｐ２に対する後処理条件の設定ミスの虞を低減できると共に、後処理工程の自動化を進めることが出来る。
【００３８】
［実施形態４］（図６）
次に、本発明の実施形態４に係る記録装置について、図６のフローチャートを参照して詳細に説明する。  
本実施形態４では、前記制御部３は、前記ロット情報Ｒ１，Ｒ２にエラー情報が含まれる場合は、エラー情報を含まない場合と区別できる形態で当該ロット情報Ｒ１，Ｒ２の記録を実行するよう制御する。  
【００３９】
ここで、「エラー情報」とは、インク不足や環境の急激な変化等により狙い通りの画質（記録品質）を形成できない部分を有する場合にその旨を伝える情報を意味する。  
また、「区別できる形態」における「形態」とは、形や色を意味し、形は同じでも目立つ色で区別するのも一例である。勿論、色が同じでもデザイン化された形で区別することも可能である。更に両者を組み合わせてもよい。
【００４０】
次に、図６のフローチャートに基づいて、本実施形態４においてロット情報Ｒ１，Ｒ２を前記繋ぎ目４付近に記録する場合について説明する。  
ステップＳ２１で、通常の記録が行われている。  
ステップＳ２２で、記録ヘッド２より上流側に位置する検出部６が搬送される長尺布帛５の繋ぎ目４を検出したか否か判定される。  
繋ぎ目４を検出した場合、ステップＳ２３にて、直ちに搬送を停止せず、長尺布帛５をそのまま搬送方向Ａに所定量搬送して記録を継続した後、搬送を停止する。ここで前記「所定量」は、検出部６と記録ヘッド２の間隔に基づいて定まり、当該繋ぎ目４が記録ヘッド２に擦れない位置まではそのまま搬送し、記録を継続する。
【００４１】
ステップＳ２４に進み、ロット情報Ｒ１がエラー情報を含むか否かを判定する。  
エラー情報を含む場合、ステップＳ２５に進み、区別できる色でロット情報Ｒ１を先行単位布帛Ｐ１の繋ぎ目４付近に記録する。次いで、ステップＳ２６に進み、記録ヘッド２をホームポジションに退避させる。この退避状態でステップＳ２７に進み、長尺布帛５を搬送方向Ａに搬送して繋ぎ目４を記録ヘッド２の走査領域を通過させる。
【００４２】
ステップＳ２８に進み、ロット情報Ｒ２がエラー情報を含むか否かを判定する。  
エラー情報を含む場合、ステップＳ２９に進み、区別できる色でロット情報Ｒ２を後行単位布帛Ｐ２の繋ぎ目４付近に記録する。
【００４３】
次いでステップＳ３０に進み、記録が終了した場合は終了となり、記録が終了していない場合は、ステップＳ２１に戻り、上記各ステップを繰り返す。  
前記ステップＳ２２で、検出部６が繋ぎ目４を検出しない場合、ステップＳ３０に進む。
【００４４】
前記ステップＳ２４で、エラー情報を含まないと判定された場合、ステップＳ３１に進み、区別を必要としない通常の色でロット情報Ｒ１を先行単位布帛Ｐ１の繋ぎ目４付近に記録する。そして、ステップＳ２６に進む。  
前記ステップＳ２８で、エラー情報を含まないと判定された場合、ステップＳ３２に進み、区別を必要としない通常の色でロット情報Ｒ２を後行単位布帛Ｐ２の繋ぎ目４付近に記録する。そして、ステップＳ３０に進む。
【００４５】
本実施形態４においては、エラー情報が含まれる単位布帛を、前記区別できる形態のロット情報が記録されていることによって容易に特定することができ、ユーザーの作業効率を向上することができる。
【００４６】
［実施形態５］（図７、図８）
次に、本発明の実施形態５に係る記録装置について、図７の正面図と図８のフローチャートを参照して詳細に説明する。  
本実施形態５では、前記制御部３は、図７に示したように、前記繋ぎ目４の方向が前記長尺布帛５の長手方向に対して斜めに交差している場合は、前記記録ヘッド２の走査範囲を前記繋ぎ目４の手前までとして記録を実行する。
【００４７】
次に、図８のフローチャートに基づいて、本実施形態５においてロット情報Ｒ１，Ｒ２を前記繋ぎ目４付近に記録する場合について説明する。  
ステップＳ４１で、通常の記録が行われている。  
ステップＳ４２で、記録ヘッド２より上流側に位置する検出部６が搬送される長尺布帛５の繋ぎ目４を検出したか否か判定される。  
繋ぎ目４を検出した場合、ステップＳ４３にて前記繋ぎ目４の方向が前記長尺布帛５の長手方向に対して斜めに交差しているかどうかが判定される。該ステップＳ４３にて繋ぎ目４は斜めであると判定されるとステップ４４に進み、直ちに搬送を停止せず、長尺布帛５をそのまま搬送方向Ａに所定量搬送して記録を継続した後、搬送を停止する。ここで前記「所定量」は、検出部６と記録ヘッド２の間隔に基づいて定まり、当該繋ぎ目４が記録ヘッド２に擦れない位置まではそのまま搬送し、記録を継続する。
【００４８】
次にステップＳ４５に進み、ロット情報Ｒ１を先行単位布帛Ｐ１の繋ぎ目４を含む三角形T１の領域を利用して記録する。その際、記録ヘッド２は斜めの繋ぎ目４より図７において左側の領域を移動範囲とする往復移動を行って記録を実行する。三角形Ｔ１の面積が大きい場合は、当初は通常の画像の記録を行うことで、歩留まりを向上することができる。ロット情報Ｒ１は三角形の搬送方向Ａにおける先端部分に、或いは繋ぎ目４に沿った位置に記録する。  
次いで、ステップＳ４６に進み、記録ヘッド２をホームポジションに退避させる。この退避状態でステップＳ４７に進み、長尺布帛５を搬送方向Ａに搬送して繋ぎ目４を記録ヘッド２の走査領域を通過させる。ステップＳ４８に進み、記録ヘッド２を前記ホームポジションと反対側に移動させ、その状態で長尺布帛５を搬送方向Ａの逆方向に移動して後行布帛単位Ｐ２の三角形Ｔ２の領域への記録を可能な状態にする。
【００４９】
次にステップＳ４９に進み、後行単位布帛Ｐ２の繋ぎ目４を含む三角形Ｔ２の領域を利用してロット情報Ｒ２を記録する。その際、記録ヘッド２は斜めの繋ぎ目４より図７において右側の領域を移動範囲とする往復移動を行って記録を実行する。三角形Ｔ２の面積が大きい場合は、当初は、ロット情報Ｒ２は三角形の搬送方向Ａにおける先端部分に、或いは繋ぎ目４に沿った位置に記録する。次いで、三角形Ｔ２の残りの次第に広くなる部分に通常の画像の記録を行う。これにより、歩留まりを向上することができる。
【００５０】
次いでステップＳ５０に進み、記録が終了した場合は終了となり、記録が終了していない場合は、ステップＳ４１に戻り、上記各ステップを繰り返す。  
前記ステップＳ４２で、検出部６が繋ぎ目４を検出しない場合、ステップＳ５０に進む。  
前記ステップＳ４３で、繋ぎ目４が斜めであるとの判定が出ない場合は、ステップ５１、ステップ５２、ステップ５３、ステップ５４及びステップ５５を経てステップＳ５０に進む。ここで、ステップＳ５１からステップＳ５５は、実施例１のステップＳ３からステップＳ７と同様なので、その説明は省略する。
【００５１】
繋ぎ目４が斜めである場合、その斜めの繋ぎ目４が存在する部分の全ての布帛を記録対象の生地から除くのは生地の無駄が多い。  
本実施形態５においては、前記記録ヘッド２の走査範囲を前記繋ぎ目４の手前までとして記録を実行するので、前記繋ぎ目４を一辺として含む三角形の領域Ｔ１，Ｔ２を利用して当該ロット情報Ｒ１，Ｒ２を記録することができる。  
また、前記三角形領域Ｔ１，Ｔ２の面積が当該ロット情報Ｒ１，Ｒ２の記録だけでは大き過ぎて余る場合は、製品としての模様の記録を前記三角形の領域Ｔ１，Ｔ２に行ってから、前記ロット情報Ｒ１，Ｒ２の記録を行ってもよい。
【符号の説明】
【００５２】
１  搬送経路、２  記録ヘッド、３  制御部、４  繋ぎ目、５  長尺布帛、
６  検出部、７  駆動制御部、８  キャリッジ、９  ヘッド駆動部、
１０  無端ベルト、１１  駆動ローラー、１２  従動ローラー、
１３  補助ローラー、１４  補助ローラー、１６  後処理装置、１７  読み取り部、
１８  後処理実行部、Ａ  搬送方向、Ｐ  被記録媒体、Ｐ１、Ｐ２  単位布帛、
Ｒ１、Ｒ２  ロット情報、Ｔ１、Ｔ２  三角形の領域
【図１】
2015078448.tif 000003
【図２】
2015078448.tif 000004
【図３】
2015078448.tif 000005
【図４】
2015078448.tif 000006
【図５】
2015078448.tif 000007
【図６】
2015078448.tif 000008
【図７】
2015078448.tif 000009
【図８】
2015078448.tif 000010